(57)【特許請求の範囲】
【請求項１】
原稿圧着板を有する事務機器の機器本体側に取り付けられる取付部材と、この取付部材に回動可能に取り付けられると共に前記原稿圧着板を支持する支持部材と、前記支持部材及び前記取付部材のいずれか一方のものにスライド可能に収装されたスライダーと、このスライダーと摺接し、前記支持部材及び前記取付部材のいずれか他方のものに設けられるカム部材と、前記スライダーとこのスライダーを収装させた前記支持部材又は前記取付部材との間に設けられ、前記スライダーを前記カム部材に圧接させて前記原稿圧着板の開成動作を制御する弾性部材とを備えた原稿圧着板開閉装置であって、
前記スライダー及び前記カム部材のいずれか一方のものに前記支持部材の回動方向へ嵌合凹部を設け、前記スライダー及び前記カム部材の他方のものに前記支持部材の回動時に前記嵌合凹部と嵌合する挿入凸部を設け、前記嵌合凹部及び前記挿入凸部の少なくとも一方に回転制御部を設けて、前記取付部材に対して前記支持部材を回動させたとき、この回動途中で大きなフリクショントルクを発生させて前記原稿圧着板の開閉動作を制御するように構成したことを特徴とする、原稿圧着板開閉装置。
【請求項２】
前記嵌合凹部は、前記スライダーの摺動方向に延びるスリット状の係合溝部であり、前記挿入凸部は、前記スライダーの摺動方向に延びると共に突出する係合凸片であり、この係合凸片の一部の幅を広くして前記回転制御部を形成したことを特徴とする、請求項１に記載の原稿圧着板開閉装置。
【請求項３】
前記嵌合凹部は、前記スライダーの摺動方向に延びるスリット状の係合溝部であり、この係合溝部の両側部の一部の幅を狭くして前記回転制御部を形成したことを特徴とする、請求項１又は２に記載の原稿圧着板開閉装置。
【請求項４】
前記嵌合凹部は、前記スライダーの摺動方向に延びるスリット状の断面凹状の係合溝部であり、この係合溝部の底部の一部を突出させて前記回転制御部を形成したことを特徴とする、請求項１〜３のいずれか1項に記載の原稿圧着板開閉装置。
【請求項５】
前記嵌合凹部及び前記挿入凸部は、それぞれ１つ又は２つ以上設けられていることを特徴とする、請求項１〜４のいずれか１項に記載の原稿圧着板開閉装置。
【請求項６】
前記スライダー及び前記カム部材は、前記取付部材に対して前記支持部材を回転させたとき、これら取付部材と支持部材との間に、支持部材を開成方向へ付勢すると共にフリクショントルクを発生させて前記機器本体に対して前記原稿圧着板をフリーストップで停止させるカム形状にそれぞれ形成されていることを特徴とする、請求項１〜５のいずれか１項に記載の原稿圧着板開閉装置。
【請求項７】
前記回転制御部は、前記原稿圧着板が前記機器本体の上面近傍に位置したとき及び又は前記原稿圧着板が前記機器本体に対し直立状態近傍に位置したときに大きなフリクショントルクが発生するように設けられていることを特徴とする、請求項１〜６のいずれか１項に記載の原稿圧着板開閉装置。
【請求項８】
前記取付部材は、前記機器本体の上面に取り付けられる底板と、この底板の両側部より立ち上げた両側板を有し、この両側板に前記支持部材がヒンジピンを介して回動可能に取り付けられると共に、前記両側板の間に、前記カム部材が取り付けられることを特徴とする、請求項１〜７のいずれか１項に記載の原稿圧着板開閉装置。
【請求項９】
前記取付部材は、前記機器本体に上下方向に設けた取付孔に上下動可能に挿入される脚部を有することを特徴とする、請求項１〜８のいずれか１項に記載の原稿圧着板開閉装置。
【請求項１０】
前記脚部は、筒状に形成され、内部に前記スライダーとこのスライダーを一方向にスライド付勢する弾性部材を設けたものであることを特徴とする、請求項９に記載の原稿圧着板開閉装置。
【請求項１１】
前記支持部材の自由端側には、リフト部材が当該支持部材の回動方向とは異なる方向へ回動可能となるように取り付けられており、前記原稿圧着板は、このリフト部材へ取り付けられることを特徴とする、請求項１〜８のいずれか１項に記載の原稿圧着板開閉装置。
【請求項１２】
前記取付部材は、前記脚部の上端側に回転規制部を有する基部を備え、前記支持部材には、この回転規制部に当接する規制部を有することを特徴とする、請求項１０又は１１に記載の原稿圧着板開閉装置。
【請求項１３】
前記請求項１〜１２のいずれか１項に記載の原稿圧着板開閉装置を備えたことを特徴とする、原稿圧着板を備えた事務機器。
【発明の詳細な説明】
【技術分野】
【０００１】
本発明は、複写機、印刷機、ファクシミリ、スキャナー等の原稿圧着板を有する事務機器に用いて好適な、原稿圧着板開閉装置、及びその原稿圧着板を備えた事務機器に関するものである。
【背景技術】
【０００２】
複写機、印刷機、ファクシミリ、スキャナー等の事務機器の機器本体には、その機器本体の上面後部に機器本体に備えたコンタクトガラスの上面を覆う原稿圧着板が原稿圧着板開閉装置を介して開閉可能に取り付けられている。原稿圧着板開閉装置は、一種のヒンジ機構であり、原稿圧着板をヒンジ軸まわりに回動可能に軸支して、機器本体の上面のコンタクトガラス上に原稿圧着板を圧着させることができると共に、そのコンタクトガラスを露出させることができる。原稿をコンタクトガラス上にセットするには、原稿圧着板を開いて（原稿圧着板がコンタクトガラスから離間する方向（開成方向ということがある。）に移動させて）コンタクトガラスの上面を露出させ、そのコンタクトガラス上に原稿を載置した後、原稿圧着板を閉じて、原稿圧着板で原稿をコンタクトガラス上に圧着させるものである。
【０００３】
このような原稿圧着板開閉装置の中には、コンプレッションスプリングの付勢力により本来の重量を感じさせることなく原稿圧着板を開くことができる原稿圧着板開閉装置が知られている（例えば、特許文献１参照。）。この原稿圧着板開閉装置は、事務機器の機器本体に取り付けられる取付部材と、この取付部材にヒンジピンを介して回動可能に設けられていると共に原稿圧着板に取り付けられる支持部材と、支持部材を開成方向へ付勢するコンプレッションスプリングとを備えている。このコンプレッションスプリングによって支持部材を介して原稿圧着板が開成方向に回転付勢されているので、原稿圧着板を開成方向に回転するときには、コンプレッションスプリングの付勢力により本来の重量を感じさせることなく原稿圧着板を開くことができる。
【特許文献１】特許第３２６２４５７号
【発明の開示】
【発明が解決しようとする課題】
【０００４】
この特許文献１に記載されている原稿圧着板開閉装置は、原稿圧着板を閉じる（閉成方向に回転させる）ときには、最初はコンプレッションスプリングの付勢力に抗するために多少の力が必要であるが、途中でコンプレッションスプリングが原稿圧着板を付勢する付勢力より原稿圧着板を閉じようとする回転モーメントが大きくなるので、原稿圧着板を容易に閉じることができる。しかし、特に原稿圧着板が自動原稿送り装置付きで重量のある場合、原稿圧着板の回転速度が速くなって原稿圧着板が勢いよくコンタクトガラスにぶつかる恐れがある。そこで、ダンパー手段を設けたりするなどとしてさまざまな工夫がなされているが、いずれのものも製作コストが高くなったり、あるいは原稿圧着板の開閉操作時の操作フィーリングが悪かったりすることから、製作コストが高くならない簡単な構成で、かつ、開閉操作時のフィーリングにも影響を及ぼさないブレーキ機能付きの原稿圧着板開閉装置が求められている。
【０００５】
本発明の目的は、製作コストが高くならない簡単な構成でブレーキ機能を発揮し、操作フィーリングも良好な原稿圧着板開閉装置及び原稿圧着板を備えた事務機器を提供することにある。
【課題を解決するための手段】
【０００６】
前記の目的を達成するために本発明に係る原稿圧着板開閉装置は、原稿圧着板を有する事務機器の機器本体側に取り付けられる取付部材と、この取付部材に回動可能に取り付けられると共に前記原稿圧着板を支持する支持部材と、前記支持部材及び前記取付部材のいずれか一方のものにスライド可能に収装されたスライダーと、このスライダーと摺接し、前記支持部材及び前記取付部材のいずれか他方のものに設けられるカム部材と、前記スライダーとこのスライダーを収装させた前記支持部材又は前記取付部材との間に設けられ、前記スライダーを前記カム部材に圧接させて前記原稿圧着板の開成動作を制御する弾性部材とを備えた原稿圧着板開閉装置であって、前記スライダー及び前記カム部材のいずれか一方のものに前記支持部材の回動方向へ嵌合凹部を設け、前記スライダー及び前記カム部材の他方のものに前記支持部材の回動時に前記嵌合凹部と嵌合する挿入凸部を設け、前記嵌合凹部及び前記挿入凸部の少なくとも一方に回転制御部を設けて、前記取付部材に対して前記支持部材を回動させたとき、この回動途中で大きなフリクショントルクを発生させて前記原稿圧着板の開閉動作を制御するように構成したことを特徴とする。
【０００７】
この発明によれば、スライダー及びカム部材の一方のものに嵌合凹部を設け、スライダー及びカム部材の他方のものに、嵌合凹部と嵌合する挿入凸部を設け、嵌合凹部及び挿入凸部の少なくとも一方に回転制御部を設けて、取付部材に対して支持部材を回転させたとき、この回転途中で大きなフリクショントルクを発生させて原稿圧着板の開閉動作を制御するように構成したことから、原稿圧着板が機器本体の上面近傍に位置したときに大きなフリクショントルクが発生するように回転制御部を形成することで、原稿圧着板が勢いよく機器本体にぶつかる恐れがない。また、原稿圧着板の開閉操作時の操作フィーリングが良好になるように回転制御部を形成することも可能となる。その結果、製作コストが高くならない簡単な構成でブレーキ機能を発揮し、操作フィーリングも良好な原稿圧着板開閉装置が得られることになる。
【０００８】
本発明に係る原稿圧着板開閉装置において、前記嵌合凹部は、前記スライダーの摺動方向に延びるスリット状の係合溝部であり、前記挿入凸部は、前記スライダーの摺動方向に延びると共に突出する係合凸片であり、この係合凸片の一部の幅を広くして前記回転制御部を形成することが好ましい。また、本発明に係る原稿圧着板開閉装置において、前記嵌合凹部は、前記スライダーの摺動方向に延びるスリット状の係合溝部であり、この係合溝部の一部の幅を狭くして前記回転制御部を形成することが好ましい。また、本発明に係る原稿圧着板開閉装置において、前記嵌合凹部は、前記スライダーの摺動方向に延びるスリット状の断面凹状の係合溝部であり、この係合溝部の底部の一部を突出させて前記回転制御部を形成したことが好ましい。また、本発明に係る原稿圧着板開閉装置において、前記嵌合凹部及び前記挿入凸部は、それぞれ１つ又は２つ以上設けられていることが好ましい。また、本発明に係る原稿圧着板開閉装置において、前記スライダー及び前記カム部材には、前記取付部材に対して前記支持部材を回転させたとき、これら取付部材と支持部材との間に、支持部材を開成方向へ付勢すると共にフリクショントルクを発生させて前記機器本体に対して前記原稿圧着板をフリーストップで停止させるカム形状にそれぞれ形成されていることが好ましい。
【０００９】
また、本発明に係る原稿圧着板開閉装置において、前記回転制御部は、前記原稿圧着板が前記機器本体の上面近傍に位置したとき及び又は前記原稿圧着板が前記機器本体に対し直立状態近傍に位置したときに大きなフリクショントルクが発生するように設けられていることが好ましい。また、本発明に係る原稿圧着板開閉装置において、前記取付部材は、前記機器本体の上面に取り付けられる底板と、この底板の両側部より立ち上げた両側板を有し、この両側板に前記支持部材がヒンジピンを介して回動可能に取り付けられると共に、前記両側板の間に、前記カム部材が取り付けられることが好ましい。また、本発明に係る原稿圧着板開閉装置において、前記取付部材は、前記機器本体に上下方向に設けた取付孔に上下動可能に挿入される脚部を有することが好ましい。また、本発明に係る原稿圧着板開閉装置において、前記脚部は、筒状に形成され、内部に前記スライダーとこのスライダーを一方向にスライド付勢する弾性部材を設けたものであることが好ましい。また、本発明に係る原稿圧着板開閉装置において、前記支持部材の自由端側には、リフト部材が当該支持部材の回動方向とは異なる方向へ回動可能となるように取り付けられており、前記原稿圧着板は、このリフト部材へ取り付けられることが好ましい。また、本発明に係る原稿圧着板開閉装置において、前記取付部材は、前記脚部の上端側に回転規制部を有する基部を備え、前記支持部材には、この回転規制部に当接する規制部を有することが好ましい。
【００１０】
また、前記の目的を達成するために本発明に係る原稿圧着板を備えた事務機器は、前記の本発明に係る原稿圧着板開閉装置を備えたことを特徴とする。この発明によれば、前述と同様に、スライダー及びカム部材の一方のものに嵌合凹部を設け、スライダー及びカム部材の他方のものに、嵌合凹部と嵌合する挿入凸部を設け、嵌合凹部及び挿入凸部の少なくとも一方に回転制御部を設けて、取付部材に対して支持部材を回転させたとき、この回転途中で大きなフリクショントルクを発生させて原稿圧着板の開閉動作を制御するように構成したので、製作コストが高くならない簡単な構成でブレーキ機能を発揮し、操作フィーリングも良好な原稿圧着板開閉装置が得られることになる。
【発明の効果】
【００１１】
以上説明したように本発明に係る原稿圧着板開閉装置及び原稿圧着板を備えた事務機器によれば、スライダー及びカム部材の一方のものに嵌合凹部を設け、スライダー及びカム部材の他方のものに、嵌合凹部と嵌合する挿入凸部を設け、嵌合凹部及び挿入凸部の少なくとも一方に回転制御部を設けて、取付部材に対して支持部材を回転させたとき、この回転途中で大きなフリクショントルクを発生させて原稿圧着板の開閉動作を制御するように構成したので、製作コストが高くならない簡単な構成でブレーキ機能を発揮し、操作フィーリングも良好な原稿圧着板開閉装置が得られる。
【発明を実施するための最良の形態】
【００１２】
以下、本発明に係る原稿圧着板開閉装置及び原稿圧着板を備えた事務機器を添付図面に基づいて詳述する。なお、以下の説明では、脚部を有するリフト機能付きのしかも脚部の中にスライダーや弾性手段を収装させてない構成の原稿圧着板開閉装置に実施した場合について説明するが、本発明は、後述するように以下の実施の形態に記載された構成以外の構成を持つ原稿圧着板開閉装置に支障のない限り実施することができるものである。
【００１３】
図１〜図３は本発明に係る原稿圧着板開閉装置の一例を示す図である。本発明に係る原稿圧着板開閉装置は、図１〜図３に示すように、事務機器１０の機器本体１１の後端部に、原稿圧着板１２を開閉可能に取り付けるものである。事務機器１０としては、特に限定されず、例えば、複写機、印刷機、ファクシミリ、スキャナー等が挙げられ、特に複写機が好ましいものとして挙げられるが、特に限定せずに説明する。
【００１４】
本発明に係る原稿圧着板開閉装置１は、原稿圧着板１２を有する事務機器１０の機器本体１１側に取り付けられる取付部材２と、取付部材２にヒンジピン１６を軸に回動可能に取り付けられる共に原稿圧着板１２を支持する支持部材３と、支持部材３及び取付部材２のいずれか一方、例えば、支持部材３にスライド可能に収装されたスライダー５と、スライダー５と摺接し、支持部材３及び取付部材２のいずれか他方、例えば、取付部材２に設けられるカム部材６と、スライダー５と支持部材３との間に設けられ、スライダー５をカム部材６に圧接させて原稿圧着板１２の開成動作を制御する弾性部材１７とを備え、原稿圧着板１２を回転させて機器本体１１の上面を原稿圧着板１２で覆う閉成状態とその上面を露出させる開成状態とを形成するものである。本発明に係る原稿圧着板開閉装置１は、スライダー５及びカム部材６の一方、例えば、カム部材６に、挿入凸部８を設け、スライダー５及びカム部材６の他方、例えば、スライダー５に、挿入凸部８と嵌合する嵌合凹部７を設け、嵌合凹部７及び挿入凸部８の少なくとも一方に回転制御部９を設けて、取付部材２に対して支持部材３を回転させたとき、この回転途中で大きなフリクショントルクを発生させて原稿圧着板１２の開閉動作を制御するように構成したことに特徴がある。
【００１５】
機器本体１１の上面には、例えば、コンタクトガラス（図示せず）が設けられ、このコンタクトガラス上に原稿を原稿圧着板１２によって密着させると共に、コンタクトガラスが原稿圧着板１２によって覆い隠されるようになっている。機器本体１１の上面の後端部近傍の２箇所には、上下方向（高さ方向ということがある。）に延びる凹状の取付孔１３がそれぞれ設けられている。取付孔１３は、横断面矩形状に形成されている。この取付孔１３の後面には、高さ方向に延びる移動許容凹部１４が設けられている。移動許容凹部１４の高さ方向の長さは、原稿圧着板開閉装置１の高さ方向の移動範囲を決めるものであり、特に限定されず、任意に設定される。
【００１６】
取付部材２は、図１〜図４に示すように、例えば、基部２１と、基部２１の下面から下方に延びる脚部２５と、基部２１の上面に設けられる回動部２２とを備えてなる。取付部材２は、例えば、合成樹脂により形成されるが、これに限定されず、他の材料により形成されていてもよい。
【００１７】
基部２１は、略矩形平板状に形成されている。基部２１の下面には、下面から下方に延びる脚部２５が設けられている。脚部２５は、基部２１より小さな断面略矩形状に形成されており、この脚部２５が機器本体１１の取付孔１３に挿入されて、原稿圧着板開閉装置１が機器本体１１に取り付けられる。脚部２５の４つの面（前面、後面、両側面）の上部には、案内片２５ａが複数設けられている。脚部２５の後面の下部には、下面が傾斜された略矩形状の凸部２６が設けられている。この凸部２６は、脚部２５を取付孔１３に挿入したとき、移動許容凹部１４に係合して、凸部２６が移動許容凹部１４の上端部に当接するまでの範囲で、取付部材２の脚部２５すなわち原稿圧着板開閉装置１を高さ方向に移動可能に支持するものである。また、脚部２５の前面の下方は、傾斜されてテーパ面２５ｂとして形成されており、凸部２６を移動許容凹部１４の上端部に当接又は近接させた状態で脚部２５を後面側に倒すと、テーパ面２５ｂが取付孔１３の前面壁に面接触又は近接して凸部２６が移動許容凹部１４から離脱し、脚部２５を取付孔１３から抜くことができるようになっている。
【００１８】
回動部２２は、平面方向の断面が基部２１より小さな略矩形状の略直方体状に形成されている。回動部２２の上方であって若干後方側には、両側面を貫通するシャフト孔２２ａが設けられている。このシャフト孔２２ａにヒンジピン１６が軸受２８を介して挿入される。回動部２２の前面から上面までがスライダー５が押圧された状態で摺接するカム部材６として形成されている。カム部材６は、前面と上面との角部が湾曲状に形成されてなる。また、回動部２２の両側面側の基部２１の両側面側の上面（上端）は、前面の方が高い２段に形成されており、この２段を形成する壁部が傾斜されて回転規制部２３として形成されている。
【００１９】
支持部材３は、例えば、合成樹脂により形成されるが、これに限定されず、他の材料により形成されていてもよい。支持部材３は、図１〜図３に示すように、例えば、上板３ａと両側板３ｂと下板３ｃとから矩形筒体状に形成されている。この支持部材３の一端部は、閉塞されて弾性部材支持部３ｄとして形成されている。支持部材３の他端部は開口されている。両側板３ｂには、原稿圧着板１２の後端側にビス等で取り付けられる取付片３ｅ、３ｆがそれぞれ設けられている。両側板３ｂの端部は、延出されて回動片３１として形成されている。回動片３１間の長さは、取付部材２の回動部２２の両側部間の長さより長く、例えば、若干長い寸法で形成されている。回動片３１には、ヒンジピン１６が挿通されるシャフト挿通孔３２が設けられている。回動片３１のシャフト挿通孔３２と取付部材２のシャフト孔２２ａとが孔合わせされ、これら孔３２、２２ａにワッシャー等を介してヒンジピン１６が挿通されることによって、取付部材２に対して支持部材３がヒンジピン１６を軸に回動可能に連結されている。
【００２０】
回動片３１の先端部は、原稿圧着板１２を開けた（開成方向に回転させた）とき、取付部材２の回転規制部２３に当接して（図２（ｂ）及び（ｃ）参照。）、原稿圧着板１２の回動範囲を規制する規制部３３として形成されている。なお、本発明において開成方向とは、原稿圧着板１２を回転させる際に原稿圧着板１２がコンタクトガラスから離間する方向をいう。本発明において閉成方向とは、開成方向とは反対の方向で原稿圧着板１２を回転させる際に原稿圧着板１２がコンタクトガラスに近づく方向をいう。
【００２１】
弾性部材１７は、原稿圧着板１２を開成方向に回転付勢すなわち開く方向に付勢するものである。弾性部材１７は、特に限定されないが、例えば、コンプレッションスプリング１７ａである。コンプレッションスプリング１７ａは、支持部材３内に収容されて弾性部材支持部３ｄとカム部材６との間に弾設されている。コンプレッションスプリング１７ａの一端部は弾性部材支持部３ｄに支持されていると共に、コンプレッションスプリング１７ａの他端部は、スライダー５に収容され、このスライダー５を介してカム部材６に当接されている。すなわち、コンプレッションスプリング１７ａは、スライダー５をカム部材６に圧接させて原稿圧着板１２を開成方向に付勢するものである。コンプレッションスプリング１７ａは、その個数は特に限定されず、１個でも２個以上でもよく図示例では１個である。
【００２２】
スライダー５は、例えば、合成樹脂により形成されるが、これに限定されず、他の材料により形成されていてもよい。スライダー５は、図３及び図５に示すように、支持部材３を閉塞するように支持部材３内に収容されている。スライダー５は、例えば、矩形の有底筒体状に形成されている。このスライダー５内が円形状にスプリング収容部５ｂとして形成され、このスプリング収容部５ｂ内にコンプレッションスプリング１７ａの他端部が収容されて、スライダー５の底部である当接部５ａがカム部材６に当接されるようになっている。当接部５ａには、カム部材６に摺接する摺動部５１が設けられている。そのカム部材６の形状は、原稿圧着板１２をヒンジピン１６を軸に開成方向に回転させると、原稿圧着板１２がだんだん立ち上がって自重で原稿圧着板１２が閉成方向に倒れようとする力が弱くなり、この動作に応じてコンプレッションスプリング１７ａが伸びてその付勢力も弱くなって、原稿圧着板１２が跳ね上がらないような形状に形成されていることが好ましい。
【００２３】
嵌合凹部７及び挿入凸部８は、互いに嵌合するものである。嵌合凹部７は、カム部材６及びスライダー５の両方に設けてもよいが、カム部材６及びスライダー５のいずれか一方に設けることが好ましく、例えば、スライダー５に設けられている。この嵌合凹部７は、例えば、スライダー５の当接部５ａの略中央部にその高さ方向（摺動方向）にその上方から下部まで（摺動部５１を含む。）の箇所にスリット状に形成された係合溝部７１である。この係合溝部７１は、例えば、幅が略同じに形成されている。
【００２４】
挿入凸部８は、嵌合凹部７と対向して設けられ、カム部材６及びスライダー５の両方に設けてもよいが、カム部材６及びスライダー５のいずれか一方に設けることが好ましく、例えば、カム部材６に設けられている。この挿入凸部８は、例えば、スライダー５の摺動方向に延びると共に突出する挿入凸片８１である。この挿入凸片８１は、例えば、カム部材６の略中央部であってその上面から前面下部までの箇所に設けられている。挿入凸片８１の幅は、係合溝部７１の幅より狭い寸法で形成されている。
【００２５】
回転制御部９は、取付部材２に対して支持部材３を回転させたとき、この回転途中で大きなフリクショントルクを発生させて原稿圧着板１２の回転速度を制御するためのものである。回転制御部９は、嵌合凹部７及び挿入凸部８の両方に設けてもよいが、嵌合凹部７及び挿入凸部８のいずれか一方に設けることが好ましく、例えば、挿入凸部８（挿入凸片８１）に設けられている。回転制御部９は、原稿圧着板１２の回転速度を制御できれば、特に限定されず、例えば、挿入凸片８１の幅を広くして形成するようにしてもよい。この回転制御部９の幅は、例えば、係合溝部７１の幅と略同じかほんの少し広い寸法で形成することが好ましい。この回転制御部９と挿入凸片８１との境目は、段状に形成してもよいが、傾斜させて形成することが好ましい。すなわち、挿入凸片８１の幅を漸次広げて回転制御部９を形成するようにすることが好ましい。回転制御部９の位置は、任意に決められ、例えば、原稿圧着板１２が機器本体１１の近傍に位置されているときに大きなフリクショントルクが発生するように、カム部材６の前面の高さ方向の略中央部の箇所の１箇所に形成されている。
【００２６】
次に、本発明に係る原稿圧着板開閉装置１及び事務機器１０の作用を説明する。
【００２７】
原稿圧着板１２は、機器本体１１が使用されていない状態では、図１に示すように、機器本体１１のコンタクトガラスに密着されてコンタクトガラスが覆い隠されている。このとき、係合溝部７１と挿入凸片８１とが係合されている。コンタクトガラス上に原稿を載置するには、まず、原稿圧着板開閉装置１が取り付けられている箇所とは反対側の原稿圧着板１２の端部又はその近傍等を持って、原稿圧着板１２を上方に持ち上げる。すなわち、原稿圧着板１２をヒンジピン１６を軸に回転させてコンタクトガラスの上面を外部に露出させ、原稿圧着板１２を開成位置に位置させる。このとき、図２（ｂ）・（ｃ）に示すように、支持部材３の規制部３３が取付部材２の回転規制部２３に当接するので、原稿圧着板１２が開き過ぎることがなく最大開成位置に位置させることができる。また、原稿圧着板１２を回転させるとき、原稿圧着板１２は、コンプレッションスプリング１７ａの付勢力によって開成方向に回転付勢されているので、重量を感じさせることなく開成方向に回転することができる。また、係合溝部７１と挿入凸片８１とが嵌合されて係合したまま取付部材２に対して支持部材３（原稿圧着板１２）が回転する。
【００２８】
露出したコンタクトガラス面上に原稿を載置した後、持ち上げた原稿圧着板１２を降ろす。すなわち、原稿圧着板１２をコンタクトガラスと接触する閉成方向にヒンジピン１６を軸に回転させて下方に移動させて閉成状態にする。このとき、最初はコンプレッションスプリング１７ａの付勢力に抗するために多少の力が必要になるが、途中でコンプレッションスプリング１７ａが原稿圧着板１２を付勢する付勢力より原稿圧着板１２のモーメントが大きくなるので、原稿圧着板１２を容易に回転することができる。そして、原稿圧着板１２がさらに回転すると、原稿圧着板１２の回転速度が速くなるが、回転制御部９の両側面が係合溝部７１の両側壁部に摺接して大きなフリクショントルクが発生し、原稿圧着板１２の回転速度が低減される。その結果、原稿圧着板１２が勢いよくコンタクトガラスにぶつかる恐れがない。そのコンタクトガラス上に載置した原稿が薄物例えば薄い紙１枚であると、原稿圧着板１２はヒンジピン１６を軸に回転のみして原稿圧着板１２によって原稿がコンタクトガラス上から浮き上がることなくコンタクトガラスに密着され、原稿を良好に複写等することができる。
【００２９】
原稿が本のように厚さが厚い場合、原稿をコンタクトガラス上に載置した後に原稿圧着板１２を閉成方向に回転させると、原稿圧着板１２が閉成状態になる前、すなわち、原稿圧着板１２がコンタクトガラスと密着する前に、原稿圧着板１２が原稿の端部に接触して、この原稿の端部とは反対側の端部と原稿圧着板１２との間に空間が形成される。すなわち、原稿圧着板１２は、原稿圧着板開閉装置１と反対側の端部が浮いた状態となる。その浮いている側の原稿圧着板１２を機器本体１１側に押圧したり原稿圧着板１２の自重により、脚部２５が取付孔１３から抜け出る方向（上方）に移動して原稿圧着板開閉装置１が上方に移動すると共に、原稿圧着板１２がヒンジピン１６を軸に回転する。つまり、原稿の上部を覆うように原稿圧着板開閉装置１の高さが自動的に調節されて原稿圧着板１２が移動する。例えば、その原稿の上部が平坦面である場合には、この上部に原稿圧着板１２が面接触する。その結果、厚さが厚い原稿が安定してコンタクトガラスに密着されることになる。よって、原稿圧着板１２は、原稿の厚さに関係なく原稿を安定してコンタクトガラスに密着することができる上に、外光が機器本体の内部へ侵入して露光が妨げられるのを極力防止することができるものである。
【００３０】
このように、原稿圧着板１２を閉成方向に回転させてコンタクトガラスに近づくと、回転制御部９の両側面が係合溝部７１の両側壁部に摺接して大きなフリクショントルクが発生するので、原稿圧着板１２の回転速度が低減されて、原稿圧着板１２が勢いよくコンタクトガラスに衝突することがない。また、原稿圧着板１２が閉じられた状態から原稿圧着板１２を開成方向に回転させるときに、原稿圧着板１２を手でちょっと持ち上げた状態で手をなにかの拍子に原稿圧着板１２から離しても、回転制御部９の両側面が係合溝部７１の両側壁部に摺接してフリクショントルクが発生しているので、原稿圧着板１２が手を離した拍子にコンタクトガラスに勢いよくぶつかる恐れがない。
【００３１】
また、回転制御部９は漸次挿入凸片８１の幅を漸次広げて形成することで、原稿圧着板１２の回転途中で急に大きなフリクショントルクが発生することがなく、徐々にフリクショントルクが大きくなるので、原稿圧着板１２の開閉操作時の操作フィーリングが良好になる。
【００３２】
したがって、本発明に係る原稿圧着板開閉装置１及び事務機器１０は、簡単な構造で製作コストが高くならず安価にブレーキ機能を発揮し、かつ操作フィーリングも良好にすることができ、安心して事務機器１０を使用することができる。
【００３３】
なお、前記の実施の形態では、回転制御部９を挿入凸部８（挿入凸片８１）に設けたが、これに限定されず、図６に示すように、嵌合凹部７（係合溝部７２）に設けてもよい。この第２の実施形態における回転制御部９１は、係合溝部７２の側部の幅を漸次狭く、例えば、挿入凸片８２（図７参照）の幅と略同じかほんの少し狭い寸法で形成することが好ましい。なお、その挿入凸片８２は、図７に示すように、略同じ幅に形成されている。これにより、回転制御部９１を挿入凸部８（挿入凸片８１）に設けた場合と同様に取付部材２に対して支持部材３を回転させたとき、この回転途中で大きなフリクショントルクを発生させて原稿圧着板１２の開閉動作を制御することができ、簡単な構造で製作コストが高くならず安価にブレーキ機能を発揮し、かつ操作フィーリングも良好にすることができる。さらに、図示してないが嵌合凹部（係合溝部）の形状は、図示のもの以外に、これを設けるカム部材６やスライダー５の深さ方向へくさび状に形成することも可能であって、要するに、原稿圧着板の開閉操作に伴って、挿入凸部（挿入凸片）と嵌合凹部（係合溝部）との間にブレーキ作用が生ずるものであれば足りる。
【００３４】
また、回転制御部９は、挿入凸片８１の１箇所に設けたが、これに限定されず、２箇所以上に設けるようにしてもよい。この第３の実施形態では、例えば、図８に示すように、回転制御部９を２箇に設けてもよい。これにより、原稿圧着板１２の回転途中の２箇所で大きなフリクショントルクを発生させて原稿圧着板１２の開閉動作を制御することができる。
【００３５】
また、嵌合凹部７と挿入凸部８とを１組設けたが、これに限定されず、２組以上設けるようにしてもよい。この第４の実施形態では、例えば、図９に示すように、カム部材６に回転制御部９を有する挿入凸片８１を２つ設けると共に、図１０に示すように、この挿入凸片８１と対向するスライダー５の２箇所に嵌合凹部７（係合溝部７１）を設けるようにしてもよい。これにより、取付部材２に対して支持部材３を回転させたとき、この回転途中で２つの嵌合凹部７と挿入凸部８とで大きなフリクショントルクを発生させて原稿圧着板１２の開閉動作を確実に制御することができ、簡単な構造で製作コストが高くならず安価にブレーキ機能を発揮し、かつ操作フィーリングも良好にすることができる。
【００３６】
また、脚部２５によって原稿圧着板開閉装置１を機器本体１１に取り付ける場合について説明したが、これに限定されない。この第５の実施形態では、例えば、図１１に示すように、取付部材１０２を、機器本体に着脱可能に取り付けられる底板１２１と、底板１２１の両側端部からそれぞれ底板１２１に対して直交する方向（略直交する方向も含む。）に延びる（立ち上がる）と共に互いに対向する両側板１２２と、両側板１２２間に設けられるカム部材１０６とから主に構成してもよい。またこの場合には、リフト部材１０４を備えるものであっても良い。
【００３７】
すなわち、カム部材１０６は、回転制御部９を有する挿入凸部８（挿入凸片８１）を備え、例えば取付ピン１１５によって両側板１２２間に設けられている。両側板１２２及びカム部材１０６を貫通してヒンジピン１１６が設けられている。取付部材１０２にはヒンジピン１１６を軸に回動可能に支持部材１０３が取り付けられている。この支持部材１０３内に２つの第１スライダー１０８と前記のスライダー５と略同じ構造の嵌合凹部７（係合溝部７１）を有する第２スライダー１０５とが収装されている。これら第１スライダー１０８と第２スライダー１０５との間に原稿圧着板１２を開成方向に回転付勢すなわち開く方向に付勢する弾性部材１１７であるコンプレッションスプリング１１７ａが収容されている。支持部材１０３には、支持部材１０３に重なり合うと共に支持部材１０３の自由端側にリフトピン１１８を軸に回動可能にリフト部材１０４が支持されている。リフト部材１０４は、原稿圧着板１２に取り付けられる。リフト部材１０４には、作動ピン１１９が設けられており、この作動ピン１１９に第１スライダー１０８が当接して、原稿の厚さに関係なく原稿を安定してコンタクトガラスに密着することができる上に、外光が機器本体の内部へ侵入して露光が妨げられるのを極力防止することができるようになっている。このように構成しても簡単な構造で製作コストが高くならず安価にブレーキ機能を発揮し、かつ操作フィーリングも良好にすることができる。
【００３８】
また、脚部を筒体状に形成し、この脚部内にスライダーを収装するようにしてもよい。この第６の実施形態では、すなわち、図１２に示すように、脚部２０５は、取付部材２０２から下方に突設されている。この脚部２０５は、例えば、下端部（底部）２０５ａが閉塞された略矩形筒体状すなわち有底筒体状に合成樹脂等で形成されている。この脚部２０５内に弾性部材であるコンプレッションスプリング２０６が収容されている。この脚部２０５内にスライダー２０４がスライド可能に収装されている。取付部材２０２にはヒンジピン２１６を軸に支持部材２０３が回動可能に連結されている。支持部材２０３にカム部材２０７が設けられ、このカム部材２０７にスライダー２０４が圧接されている。脚部２０５とスライダー２０４との間には補強枠体２０９が設けられている。
【００３９】
嵌合凹部である係合溝部２１１は、カム部材２０７及びスライダー２０４の両方に設けてもよいが、カム部材２０７及びスライダー２０４のいずれか一方、例えば、スライダー２０４に設けられている。挿入凸部である挿入凸片２１２は、カム部材２０７及びスライダー２０４の両方に設けてもよいが、カム部材２０７及びスライダー２０４のいずれか他方、例えば、カム部材２０７に設けられている。回転制御部２１３は、例えば、挿入凸片２１２に設けられている。このように構成しても簡単な構造で製作コストが高くならず安価にブレーキ機能を発揮し、かつ操作フィーリングも良好にすることができる。
【００４０】
また、回転制御部９を嵌合凹部７（係合溝部３０２）の底部に設けてもよい。この第７の実施形態における回転制御部３０１は、図１３及び図１４に示すように、係合溝部３０２の底部の一部を突出させて、例えば、摺接方向の表面を曲面状に突出させて形成することが好ましい。また、係合溝部３０２をカム部材３１１に設けてもよく、この係合溝部３０２は、例えば、カム部材３１１の幅方向の略中央部にその高さ方向（摺動方向）に上面から前面までの箇所に断面凹状のスリット状に形成されている。挿入凸部３０３は、図１５に示すように、例えば、スライダー３１２の摺動部３１４から突出するものである。この挿入凸部３０３の幅は、係合溝部３０２の幅より狭い寸法、例えば、若干狭い寸法で形成されている。この挿入凸部３０３の摺動方向の表面は、曲面状に形成されていることが好ましい。この挿入凸部３０３及び回転制御部３０１の突出形状は、例えば、開成角度が５°前後のときに、回転トルクが最大になるように形成されている。
【００４１】
また、カム部材３１１及びスライダー３１２の摺動部３１４は、図１３〜図１５に示すように、取付部材３０５に対して支持部材３を回転させたとき、これら取付部材３０５と支持部材３との間にフリクショントルクを発生させて図１に示したように機器本体１１に対して原稿圧着板１２をフリーストップで停止させるカム形状にそれぞれ形成されていることが好ましい。カム部材３１１は、例えば、上面、前面及びこれらの角部が曲面状に形成されてなると共に、摺動部３１４は、表面が曲面状に形成されてなる。すなわち、カム部材３１１及びスライダー３１２の摺動部３１４は、原稿圧着板１２をヒンジピン１６を軸に開成方向に回転させると、原稿圧着板１２がだんだん立ち上がって自重で原稿圧着板１２が閉成方向に倒れようとする力が弱くなり、この動作に応じてコンプレッションスプリング１７ａが伸びてその付勢力も弱くなって、原稿圧着板１２が跳ね上がらないような形状であって、かつ、互いに摺接することにより発生するフリクショントルクによって、機器本体１１に対して原稿圧着板１２をフリーストップさせることができる形状に形成されていることが好ましい。
【００４２】
このように構成しても前記と同様の作用効果を奏する。すなわち、原稿圧着板１２は、機器本体１１が使用されていない状態では、機器本体１１のコンタクトガラスに密着されてコンタクトガラスが覆い隠されている。コンタクトガラス上に原稿を載置するには、まず、原稿圧着板開閉装置３００が取り付けられている箇所とは反対側の原稿圧着板１２の端部又はその近傍等を持って、原稿圧着板１２を上方に持ち上げる。すなわち、原稿圧着板１２をヒンジピン１６を軸に回転させてコンタクトガラスの上面を外部に露出させ、原稿圧着板１２を開成位置に位置させる。このとき、支持部材３の規制部３３が取付部材３０５の回転規制部２３に当接するので、原稿圧着板１２が開き過ぎることがなく最大開成位置に位置させることができる。また、原稿圧着板１２を回転させるとき、原稿圧着板１２は、コンプレッションスプリング１７ａの付勢力によって開成方向に回転付勢されているので、重量を感じさせることなく開成方向に回転することができる。また、カム部材３１１とスライダー３１２の摺動部３１４とが互いに摺接しつつ、取付部材３０５に対して支持部材３（原稿圧着板１２）が回転する。このため、原稿圧着板１２の回転を止めると、カム部材３１１と摺動部３１４との摺接により発生するフリクショントルクによって、原稿圧着板１２はその停止した位置にそのままま保持される。よって、機器本体１１に対して原稿圧着板１２をフリーストップさせることができる。
【００４３】
露出したコンタクトガラス面上に原稿を載置した後、持ち上げた原稿圧着板１２を降ろす。すなわち、原稿圧着板１２をコンタクトガラスと接触する閉成方向にヒンジピン１６を軸に回転させて下方に移動させて閉成状態にする。このとき、最初はコンプレッションスプリング１７ａの付勢力に抗するために多少の力が必要になるが、途中でコンプレッションスプリング１７ａが原稿圧着板１２を付勢する付勢力より原稿圧着板１２のモーメントが大きくなるので、原稿圧着板１２を容易に回転することができる。また、カム部材３１１と摺動部３１４とが互いに摺接しながら、取付部材３０５に対して支持部材３（原稿圧着板１２）が回転する。
【００４４】
そして、原稿圧着板１２がさらに回転してコンタクトガラスに近づくと、原稿圧着板１２の回転速度が速くなろうとするが、カム部材３１１と摺動部３１４とが互い摺接する状態から回転制御部３０１が挿入凸部３０３と接触して互いに表面上を摺接する状態になるので、回転制御部３０１と挿入凸部３０３との間に大きな回転トルク（又はトルク変化）が発生する。このため、原稿圧着板１２の回転速度は、速くなることはなく、逆に遅くなる。その結果、原稿圧着板１２が勢いよくコンタクトガラスにぶつかることがない。そのコンタクトガラス上に載置した原稿が薄物例えば薄い紙１枚であると、原稿圧着板１２はヒンジピン１６を軸に回転のみして原稿圧着板１２によって原稿がコンタクトガラス上から浮き上がることなくコンタクトガラスに密着され、原稿を良好に複写等することができる。
【００４５】
原稿が本のように厚さが厚い場合、原稿をコンタクトガラス上に載置した後に原稿圧着板１２を閉成方向に回転させると、原稿圧着板１２が閉成状態になる前、すなわち、原稿圧着板１２がコンタクトガラスと密着する前に、原稿圧着板１２が原稿の端部に接触して、この原稿の端部とは反対側の端部と原稿圧着板１２との間に空間が形成される。すなわち、原稿圧着板１２は、原稿圧着板開閉装置３００と反対側の端部が浮いた状態となる。その浮いている側の原稿圧着板１２を機器本体１１側に押圧したり原稿圧着板１２の自重により、脚部２５が取付孔１３から抜け出る方向（上方）に移動して原稿圧着板開閉装置３００が上方に移動すると共に、原稿圧着板１２がヒンジピン１６を軸に回転する。つまり、原稿の上部を覆うように原稿圧着板開閉装置３００の高さが自動的に調節されて原稿圧着板１２が移動する。例えば、その原稿の上部が平坦面である場合には、この上部に原稿圧着板１２が面接触する。その結果、厚さが厚い原稿が安定してコンタクトガラスに密着されることになる。よって、原稿圧着板１２は、原稿の厚さに関係なく原稿を安定してコンタクトガラスに密着することができる上に、外光が機器本体の内部へ侵入して露光が妨げられるのを極力防止することができるものである。
【００４６】
このように、原稿圧着板１２を閉成方向に回転させてコンタクトガラスに近づくと、回転制御部３０１と挿入凸部３０３とが互いに摺接して大きな回転トルクが発生するので、原稿圧着板１２の回転速度が遅くなり、原稿圧着板１２が勢いよくコンタクトガラスに衝突することがない。また、原稿圧着板１２が閉じられた状態から原稿圧着板１２を開成方向に回転させるときに、原稿圧着板１２を手でちょっと持ち上げた状態で手をなにかの拍子に原稿圧着板１２から離しても、フリクションとコンプレッションスプリング１７ａの付勢力によって原稿圧着板１２をその位置に保持しようとするので、原稿圧着板１２が手を離した拍子にコンタクトガラスに勢いよくぶつかる恐れがない。
【００４７】
また、回転制御部３０１の摺動方向の表面が曲面状であって開成角度が５°前後のときに回転トルクが最大になるように形成されているために、原稿圧着板１２の回転途中で急に大きな回転トルクが発生することがないので、原稿圧着板１２の開閉操作時の操作フィーリングが良好になる。
【００４８】
したがって、この第７の実施形態における原稿圧着板開閉装置３００及び事務機器１０は、簡単な構造で製作コストが高くならず安価にブレーキ機能を発揮し、かつ操作フィーリングも良好にすることができ、安心して事務機器１０を使用することができる。
【００４９】
図１６は、原稿圧着板の回転モーメント曲線と、原稿圧着板開閉装置のトルク曲線との相関関係を示すグラフであり、原稿圧着板の回転モーメント曲線と原稿圧着板開閉装置のトルク曲線とは、所定の開成角度（実施例では１７°前後）で交差し、所定の開成角度以上では、原稿圧着板開閉装置の回転トルクが原稿圧着板の回転モーメントより上回った状態で推移し、所定の開成角度以下では原稿圧着板の回転モーメントが、原稿圧着板開閉装置の回転トルクより上回った状態となるように構成されている。このことによって、原稿圧着板１２はその開成時にその本来の重量を感じさせることなく開くことができ、中間の開成角度では原稿圧着板１２をフリーストップに停止させることができる上で、閉成時には、原稿圧着板１２が急速に落下することなく、かつ、閉成時の浮き現象を防止できるものである。本発明に係る原稿圧着板開閉装置３００は、原稿圧着板１２の中間開成角度においては、その回転トルクを従来公知のものと同じように当該原稿圧着板１２の回転モーメントを上回わらせることができ、所定の開成角度以下においては原稿圧着板１２の回転トルクが急速に減衰するのを回転制御部によって、防止することができるようになっていることが解る。
【００５０】
なお、回転制御部３０１を係合溝部３０２の底部に１つ設けて原稿圧着板１２が機器本体１１の上面近傍に位置したときに大きな回転トルクが発生するようにしたが、これに限定されず、原稿圧着板１２が機器本体１１に対し直立状態の近傍に位置したときに大きな回転トルクが発生するように回転制御部を設けてもよいし、また、回転制御部を複数設けてもよい。例えば、回転制御部を複数設ける場合には、原稿圧着板１２が機器本体１１の上面近傍に位置したときと、原稿圧着板１２が機器本体１１に対し直立状態の近傍に位置したときに大きな回転トルクがそれぞれ発生するように、回転制御部を２つ設けるようにしてもよい。また、回転制御部を係合溝部の底部に設けると共に係合溝部の側面に設けて、例えば、原稿圧着板１２が機器本体１１の上面近傍に位置したときと、原稿圧着板１２が機器本体１１に対し直立状態の近傍に位置したときに大きな回転トルクとフリクショントルクがそれぞれ発生するようにしてもよい。
【産業上の利用可能性】
【００５１】
以上説明したように本発明に係る原稿圧着板開閉装置は、スライダー及びカム部材の一方のものに嵌合凹部を設け、スライダー及びカム部材の他方のものに、嵌合凹部と嵌合する挿入凸部を設け、嵌合凹部及び挿入凸部の少なくとも一方に回転制御部を設けて、取付部材に対して支持部材を回転させたとき、この回転途中で大きなフリクショントルクを発生させて原稿圧着板の開閉動作を制御するように構成し、または、スライダー及びカム部材の一方のものに嵌合凹部を設け、スライダー及びカム部材の他方のものに、嵌合凹部と嵌合する挿入凸部を設け、嵌合凹部に回転制御部を設けて、取付部材に対して支持部材を回転させたとき、この回転途中で大きな回転トルクを発生させて原稿圧着板の開閉動作を制御するように構成したので、製作コストが高くならない簡単な構成でブレーキ機能を発揮し、操作フィーリングも良好なことから、特に複写機、印刷機、ファクシミリ、スキャナー等の事務機器の原稿圧着板開閉装置として好適に用いられるものである。
【図面の簡単な説明】
【００５２】
【図１】本発明に係る原稿圧着板開閉装置を備えた事務機器の一例で原稿圧着板を閉じた状態を示す概略側面図である。
【図２】本発明に係る原稿圧着板開閉装置の一例を示す図で、（ａ）は閉じた状態のときの側面図、（ｂ）は開いた状態のときの斜視図、（ｃ）は開いた状態のときの側面図である。
【図３】本発明に係る原稿圧着板開閉装置の一例を示す断面図で、（ａ）は閉じた状態を示す図、（ｂ）は開いた状態を示す図である。
【図４】本発明に係る取付部材の一例を示す図で、（ａ）は斜視図、（ｂ）は正面図である。
【図５】本発明に係るスライダーの一例を示す斜視図である。
【図６】第２の実施形態におけるスライダーの一例を示す正面図である。
【図７】第２の実施形態における取付部材の一例を示す正面図である。
【図８】第３の実施形態における取付部材の一例を示す斜視図である。
【図９】第４の実施形態における取付部材の一例を示す正面図である。
【図１０】第４の実施形態におけるスライダーの一例を示す正面図である。
【図１１】第５の実施形態における原稿圧着板開閉装置の一例を示す概略断面図である。
【図１２】第６の実施形態における原稿圧着板開閉装置の一例を示す概略断面図である。
【図１３】第７の実施形態における原稿圧着板開閉装置の一例を示す斜視図である。
【図１４】第７の実施形態における取付部材の一例を示す図で、（ａ）は斜視図、（ｂ）は正面図、（ｃ）は（ｂ）図中のＡ−Ａ線矢視断面図である。
【図１５】第７の実施形態におけるスライダーの一例を示す図で、（ａ）及び（ｂ）は斜視図、（ｃ）は正面図、（ｄ）は側面図である。ある。
【図１６】第７の実施形態における原稿圧着板開閉装置のモーメント曲線とトルク曲線の相関関係を示すグラフである。
【符号の説明】
【００５３】
１  原稿圧着板開閉装置
２  取付部材
３  支持部材
５  スライダー
６  カム部材
７  嵌合凹部
８  挿入凸部
９  回転制御部
１０  事務機器
１１  機器本体
１２  原稿圧着板
１３  取付孔
１６  ヒンジピン
１７  弾性部材
２３  回転規制部
２５  脚部
３３  規制部
７１  係合溝部
７２  係合溝部
８１  挿入凸片
８２  挿入凸片
９１  回転制御部
１０２  取付部材
１０３  支持部材
１０４  リフト部材
１０６  カム部材
１１６  ヒンジピン
１２１  底板
１２２  側板
２０４  スライダー
２０５  脚部
２０６  コンプレッションスプリング（弾性部材）
２１１  係合溝部
２１２  挿入凸片
２１３  回転制御部
３００  原稿圧着板開閉装置
３０１  回転制御部
３０２  係合溝部
３０３  挿入凸部
３１１  カム部材
３１２  スライダー
３１４  摺動部
【図１】
0005160959.tif 000002
【図２】
0005160959.tif 000003
【図３】
0005160959.tif 000004
【図４】
0005160959.tif 000005
【図５】
0005160959.tif 000006
【図６】
0005160959.tif 000007
【図７】
0005160959.tif 000008
【図８】
0005160959.tif 000009
【図９】
0005160959.tif 000010
【図１０】
0005160959.tif 000011
【図１１】
0005160959.tif 000012
【図１２】
0005160959.tif 000013
【図１３】
0005160959.tif 000014
【図１４】
0005160959.tif 000015
【図１５】
0005160959.tif 000016
【図１６】
0005160959.tif 000017